(57)【特許請求の範囲】
【請求項１】
非接触型通信を行う手段と、接触型通信を行う手段とを有する記録媒体と通信可能な記録制御装置であって、
前記記録媒体と非接触型通信を行う非接触型通信手段と、
前記記録媒体と接触型通信が可能な接触型通信手段と、
コンテンツデータと前記コンテンツデータの前記記録媒体への記録を制御するための制御情報とを前記記録媒体へ送信する送信手段とを有し、
前記制御情報は、前記記録媒体の記録領域のうち、前記非接触型通信手段を用いてアクセス可能な第１の記録領域に前記コンテンツデータの関連情報が記録され、前記接触型通信手段を用いてアクセス可能な第２の記録領域に前記コンテンツデータが記録されるよう前記記録媒体への記録を制御するための情報であり、
前記送信手段は、前記コンテンツデータを前記記録媒体に送信する前に、前記制御情報を前記記録媒体に送信することを特徴とする記録制御装置。
【請求項２】
前記コンテンツデータを生成する生成手段を更に有し、
前記送信手段は、前記生成手段が前記コンテンツデータを生成する前に、前記制御情報を前記記録媒体に送信することを特徴とする請求項１に記載の記録制御装置。
【請求項３】
通信相手の記録媒体が非接触型通信及び接触型通信が可能である否かを判定する判定手段を更に有し、
前記判定手段により前記通信相手の記録媒体が非接触型通信及び接触型通信が可能であると判定された場合、前記送信手段は、前記制御情報を前記記録媒体に送信することを特徴とする請求項２に記載の記録制御装置。
【請求項４】
前記非接触型通信手段は、前記非接触型通信を用いて前記第１の記録領域に記録されている前記コンテンツデータの関連情報を受信し、
前記非接触型通信手段により受信された前記コンテンツデータの関連情報を表示する表示手段をさらに有する請求項１乃至３のいずれか１項に記載の記録制御装置。
【請求項５】
前記表示手段は、前記第２の記録領域に表示対象となるコンテンツデータが存在しない場合、その旨を示すメッセージを表示することを特徴とする請求項４に記載の記録制御装置。
【請求項６】
前記コンテンツデータの関連情報は、前記コンテンツデータの時間情報であることを特徴とする請求項１乃至５のいずれか１項に記載の記録制御装置。
【請求項７】
前記コンテンツデータは画像データであって、
前記コンテンツデータの関連情報は、前記コンテンツデータのサムネイル画像であることを特徴とする請求項１乃至５のいずれか１項に記載の記録制御装置。
【請求項８】
前記コンテンツデータの関連情報は、前記記録媒体が前記記録制御装置に接続された際に生成されることを特徴とする請求項１乃至７のいずれか１項に記載の記録制御装置。
【請求項９】
非接触型通信を行う手段と、接触型通信を行う手段とを有する記録制御装置と通信可能な記録媒体であって、
前記記録制御装置と非接触型通信を行う非接触型通信手段と、
前記記録制御装置と接触型通信が可能な接触型通信手段と、
前記記録制御装置から受信したコンテンツデータに関する情報である関連情報を生成する生成手段と、
前記記録制御装置から受信したコンテンツデータと前記生成手段により生成された前記コンテンツデータの関連情報とを前記記録媒体の記録領域に記録するよう制御する記録制御手段とを有し、
前記記録領域は、前記非接触型通信により前記記録制御装置からアクセス可能な第１の記録領域と、前記接触型通信により前記記録制御装置からアクセス可能な第２の記録領域とを含み、
前記記録制御装置から前記コンテンツデータを受信した後、前記生成手段は前記記録制御装置から制御の指示を受けることなく前記コンテンツデータの関連情報を生成し、前記記録制御手段は、前記記録制御装置から制御の指示を受け取ることなく前記第１の記録領域に前記コンテンツデータの関連情報を記録し、前記第２の記録領域に前記コンテンツデータを記録することを特徴とする記録媒体。
【請求項１０】
前記接触型通信手段は、前記コンテンツデータの関連情報を前記第１の記録域に記録させるための制御情報を前記記録制御装置から受信し、
前記記録制御手段は、前記接触型通信手段により受信した制御情報に基づき、前記コンテンツデータの関連情報を前記第１の記録領域に記録することを特徴とする請求項９に記載の記録媒体。
【請求項１１】
前記コンテンツデータの関連情報は、前記コンテンツデータの時間情報であることを特徴とする請求項９または１０に記載の記録媒体。
【請求項１２】
前記コンテンツデータは画像データであって、
前記コンテンツデータの関連情報は、前記コンテンツデータのサムネイル画像であることを特徴とする請求項９乃至１１のいずれか１項に記載の記録媒体。
【請求項１３】
前記コンテンツデータの関連情報は、前記記録媒体が前記記録制御装置に接続された際に生成されることを特徴とする請求項９乃至１２のいずれか１項に記載の記録媒体。
【請求項１４】
非接触型通信を行う非接触型通信手段と、接触型通信を行う接触型通信手段とを有する記録媒体と非接触型通信及び接触型通信によって通信を行う記録制御装置の制御方法であって、
コンテンツデータの前記記録媒体への記録を制御するための制御データを前記記録媒体へ送信するステップと、
前記コンテンツデータの送信の前に、前記コンテンツデータの前記記録媒体への記録を制御するための制御情報を送信するステップとを有し、
前記制御情報は、前記記録媒体の記録領域のうち、前記非接触型通信手段を用いてアクセス可能な第１の記録領域に前記コンテンツデータの関連情報が記録され、前記接触型通信手段を用いてアクセス可能な第２の記録領域に前記コンテンツデータが記録されるよう前記記録媒体への記録を制御するための情報であることを特徴とする記録制御装置の制御方法。
【請求項１５】
非接触型通信を行う手段と、接触型通信を行う手段とを有する記録制御装置と非接触型通信及び非接触型通信によって通信を行う記録媒体の制御方法であって、
前記記録媒体は、前記記録制御装置から受信したコンテンツデータを前記記録媒体の記録領域に記録する際、
前記記録制御装置から受信したコンテンツデータに関する情報である関連情報を生成する生成ステップと、
前記非接触型通信により前記記録制御装置からアクセス可能な第１の記録領域に前記コンテンツデータの関連情報を記録する第１のステップと、
前記接触型通信により前記記録制御装置からアクセス可能な第２の記録領域に前記コンテンツデータを記録する第２のステップとを、
前記記録制御装置からコンテンツデータを受信した後に前記記録制御装置から指示を受けることなく実行することを特徴とする記録媒体の制御方法。
【請求項１６】
コンピュータを、請求項１乃至８のいずれか１項に記載の記録制御装置の各手段として機能させるためのコンピュータが読み取り可能なプログラム。
【請求項１７】
コンピュータを、請求項９乃至１３のいずれか１項に記載の記録媒体の各手段として機能させるためのコンピュータが読み取り可能なプログラム。
【発明の詳細な説明】
【技術分野】
【０００１】
本発明は、２系統のアクセス手段を持つ記録媒体、特に非接触型アクセス手段と接触型アクセス手段を持つ記録媒体に画像情報を記録する記録制御装置、記録媒体、及びその制御方法、並びにプログラムに関するものである。
【背景技術】
【０００２】
データの読み書きが可能な携帯型の接触型記録メディア（以下、記録メディアを記録媒体ともいう）、例えば、半導体メモリ等の記憶素子を用い、信号伝送や電力供給のための接点が設けられているメモリカードが、デジタルカメラやビデオカメラ等の映像記録装置の記録メディアとして利用されている。
【０００３】
しかし、メモリカードは、従来の光学ディスクや、テープメディアと比べて小型であるため、記録した内容をメディア表面に記載することがあまり行われず、その場合、メディア自体を外から見ただけは内容を確認することができない。
【０００４】
そのため、ユーザーは、再生機器のスロット型のリーダライタにメディアを挿入し、再生機器にて内容を読み出して表示することで内容を確認している。
【０００５】
このような手間を省く手段として、記録メディアとして接点を必要としない非接触型記録メディア（例えばＩＣカード等）を用いて、タッチするように近づけるだけでメディアの中身を確認する手段が考えられる。
【０００６】
また、主にセキュリティ性を高める目的ではあるが、非接触型のＩＣカードと接触型のＩＣカードを組み合わせる技術（特許文献１参照）や、非接触型のＩＣカードとメモリカード部を組み合わせる技術が提案されている。
【特許文献１】特開２０００−１２３１３９号公報
【発明の開示】
【発明が解決しようとする課題】
【０００７】
前述のように、記録メディアの内容を確認する手間を抑えるために、非接触型の記録メディアを用いることが考えられるが、非接触型の記録メディアとして使われるメモリは、低消費電力で、読み書きが早い等の条件があり、コストが高い。そのため、容量としては少ないのが一般的である。
【０００８】
また、メモリカードと組み合わせることでメディア自体、容量の問題は解決するが、記録メディア単体を機器に近づけて非接触アクセスでデータを読み出す場合は、限られた電力で、近づけてから離すまでの限られた期間に通信セッションを完了させる必要がある。
【０００９】
そのため、ＩＣカード部にて一般的なＩＣカードと同様の限られたデータ量の通信で必要な情報を読み出す必要がある。
【００１０】
本発明の目的は、非接触型アクセスと接触型アクセスが可能な記録メディアを用い、その記録メディア内に記録されたデータの内容を、接触型アクセスでのメディアの挿入といった手間を抑えながら確認することができる記録制御装置、記録媒体、及びその制御方法、並びにプログラムを提供することにある。
【課題を解決するための手段】
【００１１】
上記目的を達成するために、本発明による記録制御装置は、非接触型通信を行う手段と、接触型通信を行う手段とを有する記録媒体と通信可能な記録制御装置であって、前記記録媒体と非接触型通信を行う非接触型通信手段と、前記記録媒体と接触型通信が可能な接触型通信手段と、コンテンツデータと前記コンテンツデータの前記記録媒体への記録を制御するための制御情報とを前記記録媒体へ送信する送信手段とを有し、前記制御情報は、前記記録媒体の記録領域のうち、前記非接触型通信手段を用いてアクセス可能な第１の記録領域に前記コンテンツデータの関連情報が記録され、前記接触型通信手段を用いてアクセス可能な第２の記録領域に前記コンテンツデータが記録されるよう前記記録媒体への記録を制御するための情報であり、前記送信手段は、前記コンテンツデータを前記記録媒体に送信する前に、前記制御情報を前記記録媒体に送信することを特徴とする。
上記目的を達成するために、本発明による記録媒体は、非接触型通信を行う手段と、接触型通信を行う手段とを有する記録制御装置と通信可能な記録媒体であって、前記記録制御装置と非接触型通信を行う非接触型通信手段と、前記記録制御装置と接触型通信が可能な接触型通信手段と、前記記録制御装置から受信したコンテンツデータに関する情報である関連情報を生成する生成手段と、前記記録制御装置から受信したコンテンツデータと前記生成手段により生成された前記コンテンツデータの関連情報とを前記記録媒体の記録領域に記録するよう制御する記録制御手段とを有し、前記記録領域は、前記非接触型通信により前記記録制御装置からアクセス可能な第１の記録領域と、前記接触型通信により前記記録制御装置からアクセス可能な第２の記録領域とを含み、前記記録制御装置から前記コンテンツデータを受信した後、前記生成手段は前記記録制御装置から制御の指示を受けることなく前記コンテンツデータの関連情報を生成し、前記記録制御手段は、前記記録制御装置から制御の指示を受け取ることなく前記第１の記録領域に前記コンテンツデータの関連情報を記録し、前記第２の記録領域に前記コンテンツデータを記録することを特徴とする。
上記目的を達成するために、本発明による記録制御装置の制御方法は、非接触型通信を行う非接触型通信手段と、接触型通信を行う接触型通信手段とを有する記録媒体と非接触型通信及び接触型通信によって通信を行う記録制御装置の制御方法であって、コンテンツデータの前記記録媒体への記録を制御するための制御データを前記記録媒体へ送信するステップと、前記コンテンツデータの送信の前に、前記コンテンツデータの前記記録媒体への記録を制御するための制御情報を送信するステップとを有し、前記制御情報は、前記記録媒体の記録領域のうち、前記非接触型通信手段を用いてアクセス可能な第１の記録領域に前記コンテンツデータの関連情報が記録され、前記接触型通信手段を用いてアクセス可能な第２の記録領域に前記コンテンツデータが記録されるよう前記記録媒体への記録を制御するための情報であることを特徴とする。
上記目的を達成するために、本発明による記録媒体の制御方法は、非接触型通信を行う手段と、接触型通信を行う手段とを有する記録制御装置と非接触型通信及び非接触型通信によって通信を行う記録媒体の制御方法であって、前記記録媒体は、前記記録制御装置から受信したコンテンツデータを前記記録媒体の記録領域に記録する際、前記記録制御装置から受信したコンテンツデータに関する情報である関連情報を生成する生成ステップと、前記非接触型通信により前記記録制御装置からアクセス可能な第１の記録領域に前記コンテンツデータの関連情報を記録する第１のステップと、前記接触型通信により前記記録制御装置からアクセス可能な第２の記録領域に前記コンテンツデータを記録する第２のステップとを、前記記録制御装置からコンテンツデータを受信した後に前記記録制御装置から指示を受けることなく実行することを特徴とする。
【発明の効果】
【００１８】
本発明によれば、非接触型アクセスと接触型アクセスが可能な記録メディア（記録媒体）を用い、その記録メディア内に記録されたデータの内容を、接触型アクセスでのメディアの挿入といった手間を抑えながら確認することができる。
【発明を実施するための最良の形態】
【００１９】
以下、本発明の実施の形態を図面を参照しながら詳細に説明する。
【００２０】
図１は、本発明の実施の形態に係る映像記録装置（記録制御装置）と記録メディア（記録媒体）が接続された映像記録システムのブロック図である。
【００２１】
図１において、本発明の映像記録装置（例えば、デジタルカメラ）は、非接触型アクセスと接触型アクセスが可能で、非接触型アクセスに対応する非接触用メモリ及び接触型アクセスに対応する接触用メモリを有する記録メディアに映像記録する。
【００２２】
映像記録装置１０１は、レンズ１０２、固体撮像素子であるＣＣＤ１０３、撮像信号を映像信号にする映像信号処理回路１０４を備える。
【００２３】
また、映像記録装置１０１は、映像信号と情報処理部からのＯＳＤ（Ｏｎ  Ｓｃｒｅｅｎ  Ｄｉａｐｌａｙ）情報を重畳して表示装置あるいは出力端子へ出力する映像表示出力回路１０５、映像出力端子１０６を備える。
【００２４】
また、映像記録装置１０１は、映像表示装置であるＬＣＤ１０７、ユーザーの操作を入力する操作キー１０８、各部の制御を行う情報処理部１０９を備える。
【００２５】
また、映像記録装置１０１は、記録メディア１１２と接触して通信処理を行う接触型通信部１１０、記録メディア１１２と非接触で通信処理を行う非接触型通信部１１１を備える。
【００２６】
映像記録装置１０１に装着（挿入）される記録メディア１１２は、映像記録装置１０１と接触して通信処理を行う接触型通信部１１３、映像記録装置１０１と非接触で通信処理を行う非接触型通信部１１６を備える。
【００２７】
また、記録メディア１１２は、接触型通信部１１３を介してアクセス可能な接触用メモリ（第２の記録領域）１１５、接触型通信部１１３及び接触用メモリ１１５を制御する接触型通信用処理部（第２のアクセス手段）１１４を備える。
【００２８】
また、記録メディア１１２は、非接触型通信部１１６を介してアクセス可能な非接触用メモリ（第１の記録領域）１１８、非接触型通信部１１６及び非接触用メモリ１１８を制御する非接触型通信用処理部（第１のアクセス手段）１１７を備える。ここで、接触型通信用処理部１１４と非接触型通信用処理部１１７の間で情報を授受することも可能である。
【００２９】
ここで、接触型通信用処理部１１４と非接触型通信用処理部１１７は、接触用メモリ１１５に画像データ（映像データ）を保存する場合に、非接触用メモリ１１８に映像データの代表画像データ（代表映像データ）を保存する処理を行う処理手段として機能する。
【００３０】
図２は、図１における映像記録装置によって実行される画像撮影・送信処理の第１の例の手順を示すフローチャートである。
【００３１】
本処理は、図１における情報処理部１０９の制御の下に実行される。
【００３２】
記録メディア１１２を認識している状態で、まず、ステップＳ２０１において、非接触と接触型のアクセスの両方に対応したメディアか否か確認しておく。
【００３３】
ステップＳ２０１は、装着される記録メディア１１２が非接触型アクセスと接触型アクセスに対応する対応記録メディアか否かを判定する判定手段として機能する。
【００３４】
対応メディアであった場合は、ステップＳ２０２において、画像撮影指示を受けると、ステップＳ２０３に進む。
【００３５】
ステップＳ２０３において、ＣＣＤ１０３からの撮像信号を、映像信号処理回路１０４にて映像信号化し、画像データ（映像データ）を生成した後、ステップＳ２０４において、代表画像データ（代表映像データ；映像データに関する情報）を生成する。
【００３６】
ステップＳ２０４は、判定手段により対応記録メディアと判定された場合に、映像データの他に代表映像データを生成する生成手段として機能する。
【００３７】
ステップＳ２０５において、先のステップＳ２０３にて生成した画像データを記録メディア１１２に接触型アクセスで送信する。次に、ステップＳ２０６において、先のステップＳ２０４で生成した代表画像データを記録メディア１１２に接触型アクセスで送信する。
【００３８】
ステップＳ２０６は、生成手段により生成された代表映像データを非接触用メモリ１１８に保存すべく前記対応記録メディアに送信する送信手段として機能する。
【００３９】
記録メディア１１２では、送信された代表画像データを接触型通信用処理部１１４から非接触型通信用処理部１１７を介して非接触用メモリ１１８に保存する。
【００４０】
ステップＳ２０１にて対応メディアでないと判定した場合は、ステップ２０２にて画像撮影開始した後、ステップ２０３で画像データ生成、ステップ２０５にて画像データを記録メディアに保存するために送信するという従来の記録メディアでの処理となる。
【００４１】
図３は、図１における映像記録装置によって実行される画像撮影・送信処理の第２の例の手順を示すフローチャートである。
【００４２】
記録メディア１１２を認識している状態で、まずステップＳ３０１において、非接触と接触型のアクセスの両方に対応したメディアか否か確認しておく。対応メディアであった場合は、ステップＳ３０２において、記録メディア１１２へ制御データを送信する。
【００４３】
制御データには、映像記録装置１０１から画像データを送信し、接触用メモリ１１５に保存する際に、非接触用メモリ１１８にも代表画像データをコピーして保存する処理を記述しておく。
【００４４】
ステップＳ３０２は、判定手段により対応記録メディアと判定された場合に、接触用メモリ１１５に保存する映像データの代表映像データを非接触用メモリ１１８にも保存するよう指示する制御データを対応記録メディアに送信する第１の送信手段として機能する。
【００４５】
その後、ステップＳ３０３において、画像撮影指示を受けると、ステップＳ３０４に進み、ＣＣＤ１０３からの撮像信号を映像信号処理回路１０４にて映像信号化し、画像データを生成する。
【００４６】
ステップＳ３０５において、生成した画像データを、記録メディア１１２に接触型アクセスで送信する。
【００４７】
ステップＳ３０５は、生成手段により生成された映像データを対応記録メディアに送信する第２の送信手段として機能する。
【００４８】
記録メディア１１２側では、先のステップＳ３０２で送信した制御データに従い、記録メディア１１２の接触型通信用処理部１１４から非接触型通信用処理部１１７を介して非接触用メモリ１１８に、送信された画像データの一部（代表画像データ）を保存する。
【００４９】
ステップＳ３０１において対応メディアでないと判断していた場合は、単純にステップＳ３０３からのステップで画像撮影し、ステップＳ３０４、Ｓ３０５と遷移して画像データを送信するのみである。
【００５０】
図４は、図１における記録メディアによって実行される画像データ受信処理の手順を示すフローチャートである。
【００５１】
ステップＳ４０１において、映像記録装置１０１からの制御データを受信し、接触用メモリ１１５に格納しておく。次に、ステップＳ４０２にて画像データを受信した場合、ステップＳ４０３において、先に格納しておいた制御データに従い、ステップＳ４０２にて受信した画像データはコピー対象か否か判定する。
【００５２】
コピー対象だった場合、ステップＳ４０４において、画像データを非接触用メモリ１１８に保存し、ステップＳ４０５において、画像データを接触用メモリ１１５に保存する。
【００５３】
ステップＳ４０３にて、受信したデータが画像データでない場合等、制御データで指示されたコピー対象のデータでなかった場合は、ステップＳ４０３からステップＳ４０５に移り、画像データを接触用メモリ１１５に保存するのみである。
【００５４】
図５は、図１における記録メディアが映像記録装置に挿入されたときの挿入時処理の手順を示すフローチャートである。
【００５５】
ステップＳ５０１において、記録メディア１１２が映像記録装置１０１に挿入された場合、ステップＳ５０２において、非接触と接触型のアクセスの両方に対応したメディアか否か判定する。
【００５６】
対応メディアであった場合は、ステップＳ５０３において、代表画像データを生成し、ステップＳ５０４において、代表画像データを保存する。このことで、映像記録装置１０１に記録メデイア１１２を挿入した場合に、撮影を行わなくても代表画像を記録メディア１１２の非接触用メモリ１１８に保存しておくことが可能である。
【００５７】
尚、代表画像データは、記録されている画像データの時間情報を用いること、最終画像データを用いること、先頭画像データを用いること、サムネイル画像のように、オリジナルの画像データを加工した画像データを用いることが可能である。
【００５８】
図６は、図１における記録メディアの初期化時処理の手順を示すフローチャートである。
【００５９】
ステップＳ６０１において、記録メディア１１２が非接触と接触型のアクセスの両方に対応したメディアか否か判定しておく。対応メディアであった場合は、ステップＳ６０２において、記録メディア１１２の初期化処理を行う。
【００６０】
ステップＳ６０３において、画像が記録されていないことを示す画像無記録情報を生成する。その後ステップＳ６０４において、画像無記録情報を記録メディア１１２の非接触用メモリ１１８に保存しておく。
【００６１】
図７は、図１における記録メディアの内容確認処理の手順を示すフローチャートである。
【００６２】
ステップＳ７０１において、記録メディア１１２を非接触型の通信で検知し、データ通信を行う。
【００６３】
ステップＳ７０１は、対応記録メディアを非接触型アクセスで検知する検知手段として機能する。
【００６４】
ステップＳ７０２において、受け取ったデータに代表画像データがあるか判定する。
【００６５】
ステップＳ７０２は、検知手段により対応記録メディアが検知された場合に非接触用メモリ１１８に保存されている代表映像データの有無を判定する第２の判定手段として機能する。
【００６６】
代表画像データがあった場合は、ステップＳ７０３において、代表画像データをＬＣＤ１０７に表示する。
【００６７】
ステップＳ７０３は、第２の判定手段により非接触用メモリ１１８に代表映像データが保存されていると判定された場合に、代表映像データを表示する表示手段として機能する。
【００６８】
代表画像データが無かった場合には、ステップＳ７０４において、画像無記録情報があるか判定する。画像無記録情報があった場合は、ステップＳ７０５において、ＬＣＤ１０７に画像が無い旨のメッセージを表示する。
【００６９】
画像無記録情報も無かった場合には、以前に映像記録装置１０１に挿入されたことの無い記録メディア１１２であるため、ステップＳ７０６において、非対応で内容が分からない旨のメッセージをＬＣＤ１０７に表示する。
【図面の簡単な説明】
【００７０】
【図１】本発明の実施の形態に係る映像記録装置と記録メディアが接続された映像記録システムのブロック図である。
【図２】図１における映像記録装置によって実行される画像撮影・送信処理の第１の例の手順を示すフローチャートである。
【図３】図１における映像記録装置によって実行される画像撮影・送信処理の第２の例の手順を示すフローチャートである。
【図４】図１における記録メディアによって実行される画像データ受信処理の手順を示すフローチャートである。
【図５】図１における記録メディアが映像記録装置に挿入されたときの挿入時処理の手順を示すフローチャートである。
【図６】図１における記録メディアの初期化時処理の手順を示すフローチャートである。
【図７】図１における記録メディアの内容確認処理の手順を示すフローチャートである。
【符号の説明】
【００７１】
１０１  映像記録装置
１０４  映像信号処理回路
１０５  映像表示出力回路
１０７  ＬＣＤ
１０９  情報処理部
１１０  接触型通信部
１１１  非接触型通信部
１１２  記録メディア
１１３  接触型通信部
１１４  接触型通信用処理部
１１５  接触用メモリ
１１６  非接触型通信部
１１７  非接触型通信用処理部
１１８  非接触用メモリ
【図１】
0005178330.tif 000002
【図２】
0005178330.tif 000003
【図３】
0005178330.tif 000004
【図４】
0005178330.tif 000005
【図５】
0005178330.tif 000006
【図６】
0005178330.tif 000007
【図７】
0005178330.tif 000008